(57)【要約】  各個々の周波数帯域内の性能の顕著な制約なしに比較的多数の周波数帯域で動作可能な、高周波及びマイクロ波範囲のためのスイッチ可能な多帯域アンテナが記載されている。これは本質的にスイッチ可能な入力構造（２４）によって達成され、それを用いて、必要とされないアンテナの共振プリント電線路構造（２１；２２）を、ＨＦ又は接地給電線路（２４２）から隔離し得る。具体的には、１つの実施態様において、多数の共振プリント電線路構造が基板（１０）に被覆され、この共振プリント電線路構造は、１つ又はそれ以上のスイッチング装置を用いて、目標とされる方法で、対応するＨＦ又は接地給電線路に接続され或いは隔離される。
2007505587.tif 000002
【特許請求の範囲】
【請求項１】
基板に被覆される少なくとも１つの共振プリント電線路構造と、
スイッチ可能な入力構造と、
前記基板の支持体の上に配置された少なくとも１つの電線路区域とを有し、
前記入力構造は、そのスイッチングによる、少なくとも１つの電線路区域の相互接続又は橋架によって、少なくとも１つの高周波電線路又は少なくとも１つの接地電線路を、前記共振プリント電線路構造に接続するために設けられる、
高周波及びマイクロ波範囲用のスイッチ可能な多帯域アンテナ。
【請求項２】
基板に被覆される少なくとも１つの共振プリント電線路構造と、
高周波電線路又は接地電線路を、少なくとも１つの共振プリント電線路構造に選択的に接続するための、スイッチ可能な入力構造と、を有する、
高周波及びマイクロ波範囲用のスイッチ可能な多帯域アンテナ。
【請求項３】
前記支持体はプリント回路板であり、前記電線路区域の少なくとも１つは、前記基板の反対側に位置する前記プリント回路板の背面上に配置されている、請求項１に記載の多帯域アンテナ。
【請求項４】
前記入力構造は、第一スイッチ位置において、第一電線路区域を介して、前記共振プリント電線路構造に接続され得る給電地点と、前記プリント回路板を通じる第一ブッシュと、第二電線路区域と、前記プリント回路板を通じる第二ブッシュと、第二スイッチ位置で前記共振プリント電線路構造に直接接続され得る、請求項３に記載の多帯域アンテナ。
【請求項５】
前記入力構造によって前記電線路区域の１つの第一及び第二の端部に選択的に接続され得る、２つの高周波電線路が設けられている、請求項１に記載の多帯域アンテナ。
【請求項６】
前記基板は前記支持体の一方の面に上に配置され、前記入力構造は前記支持体の他方の面の上に配置されている、請求項２に記載の多帯域アンテナ。
【請求項７】
前記共振プリント電線路構造は、それがブッシュを介して前記入力構造に接続された状態で、前記支持体に対して位置する前記基板の側面に被覆される、請求項６に記載の多帯域アンテナ。
【請求項８】
前記入力構造は、各ブッシュに接続され、且つ、前記入力構造のスイッチングによって、高周波電線路又は接地電線路に接続可能な、１つのスイッチパッドを各場合に有する、請求項７に記載の多帯域アンテナ。
【請求項９】
前記入力構造は、スイッチングの目的のために、半導体スイッチ又は微小電気機械スイッチを有する、請求項１又は２に記載の多帯域アンテナ。
【請求項１０】
支持体と、請求項１又は２に記載のスイッチ可能な多帯域アンテナと、を有する移動体通信機器。
【発明の詳細な説明】
【技術分野】
【０００１】
本発明は、少なくとも２つの周波数帯域で動作し得る高周波及びマイクロ波範囲用のスイッチ可能な多帯域アンテナに関する。本発明は、そのようなアンテナを含む電気通信機器にも関する。
【背景技術】
【０００２】
一般的に、高周波（ＨＦ）又はマイクロ波範囲内の電磁波は、具体的には、移動体通信を用いて情報を送信するために用いられる。これらの波を送受信するために、各場合に十分な大きさの帯域幅を備える多数の周波数帯域で動作可能なアンテナの必要性が増大している。
【０００３】
携帯電話規格において、例えば、そのような周波数帯域は、８８０〜９６０ＭＨｚ（ＧＳＭ９００）、１７１０〜１８８０ＭＨｚ（ＧＳＭ−又はＤＳＣ１８００）の間、並びに、特に米国では、８２４〜８９４ＭＨｚ（ＡＭＰＳ）及び１８５０〜１９９０ＭＨｚ（Ｄ−ＡＭＰＳ、ＰＣＳ、又は、ＧＳＭ１９００）の間である。その上、これらは、ＵＭＴＳ帯域（１８８０〜２２００ＭＨｚ）、具体的には、広帯域ＣＤＭＡ（１９２０〜１９８９ＭＨｚ及び２１１０〜２１７０ＭＨｚ）、１８８０〜１９００ＭＨｚの周波数帯域内のコードレス電話のためのＤＥＣＴ規格、及び、例えば携帯電話、コンピュータ、電子娯楽装置等のような様々な電子機器の間でデータを交換するために用いられる、２４００〜２４８３．５ＭＨｚの周波数帯域内のブルートゥース規格（ＢＴ）を含む。
【０００４】
少なくとも遷移時間中、携帯電話が少なくともＧＳＭ周波数範囲内及びＵＭＴＳ周波数範囲内の双方で動作可能である必要もある。
【０００５】
欧州及び米国を頻繁に旅行する利用者が２つの携帯電話を携行しなくてもよいように、１つの要求は、しばしば、携帯電話が２つの欧州（ＧＳＭ）帯域内及び２つの米国帯域（ＡＭＰＳ及びＰＣＳ）内の両方で動作可能なことである。
【０００６】
情報送信の他に、移動体通信機器は、例えば、既知のＧＰＳ周波数範囲内の衛星ナビゲーションの目的のための追加的な機能及び用途を有することもあり、この場合にも、アンテナは動作すべきである。
【０００７】
従って、原則的に、この種類の現代的な電気通信機器は、可能な限り多くの前記周波数範囲で動作可能である必要があるので、これらの周波数範囲をカバーする適切な多帯域アンテナが必要とされる。
【０００８】
携帯電話におけるこれら及び他の機能の統合の増進、及び、携帯電話を可能な限り小さくするという同時の要望を伴って、ケーシング内の利用可能な空間がますます少なくなるという問題がさらに生起し、よって、容積及び寸法に関して、アンテナも可能な限り小さくなければならない。
【０００９】
電磁共振を形成するために、アンテナは電磁エネルギーを照射する。これは、アンテナな長さが送信される電磁線の波長と少なくとも同一又は４分の１であることを必要とする。従って、空気を誘電体（εｒ＝１）として用いると、１ＧＨｚの周波数は７５ｍｍのアンテナ長を必要とする。例えば、所謂「スタブアンテナ」において通常そうであるように、アンテナワイヤを螺旋形態に巻回することによって、この長さを低減し得る。
【００１０】
送信される電磁線の所与の波長でアンテナのサイズを最小限化するために、アンテナの基礎ブロックとして比誘電率εｒ>１を有する誘電体を用い得る。この結果、誘電体内の電磁線の波長は因子
（外１）
2007505587.tif 000003
によって短くされる。従って、この因子によって、そのような誘電体を基礎として設計されるアンテナもサイズがより小さい。
【００１１】
この種類のアンテナは誘電体材料から成る基板を有し、その表面には、所望の動作周波数帯域（複数帯域を含む）に依存して、１つ又はそれ以上の共振金属化構造が被覆されている。共振周波数の値は、プリント金属化構造の寸法及び基板の比誘電率の値に依存する。金属化構造の長さが増大すると、また、比誘電率の値が増大すると、個々の共振周波数の値は減少する。そのようなアンテナは「プリントワイヤアンテナ」（ＰＷＡ）又は「誘電体ブロックアンテナ」（ＤＢＡ）とも呼ばれる。
【００１２】
これらのアンテナの１つの特有な利点は、表面実装（ＳＭＤ技法）によって、換言すれば、フラットソルダリング及び接触によって、好ましくは他の構成部材と共に、電磁力を供給するために追加的な取付素子（ピン）が必要とされることなく、これらをプリント回路板（ＰＣＢ）に直接被覆し得ることである。
【００１３】
しかしながら、特に、もしそのようなアンテナが多数の周波数帯域内で動作するべきであるならば、金属化構造の寸法は問題であり困難であり得る。金属化構造が相互に影響を与えるので、アンテナを所要周波数帯域の１つに最善に適合することは、他の周波数帯域内でアンテナ力が損なわれることを意味するからである。
【００１４】
国際公開第ＷＯ０１／２９９２７Ａ１号からスイッチ可能なアンテナが既知であり、そこでは、互いに離間する少なくとも２つの接点が導体構造上に設けられ、接点を介して、導体構造を高周波給電（又は接地接続）に選択的に接続し得る。２つの接点間をスイッチングすることによって、導体構造の有効長が変更され、よって、共振周波数も変更されるので、接点間の適切な距離を前提として、少なくとも２つの隣接周波数帯域でアンテナを動作し得る。この場合には、パッチ構造として、或いは、蛇行状に走るプリント電線路として、導体構造を設計可能であり、プリント電線路はプリント電線路支持体の背面に配置されたバー形状部分構造を備える。
【００１５】
同様に移動体電気通信機器で用いられる他の種類のアンテナは平面反転Ｆアンテナ（ＰＩＦＡ）であり、そこでは、金属化構造が接地金属化の上に配置され、該アンテナは容積共振器として動作する。例えば公開公報第ＷＯ０１／９１２３４Ａ１号、第ＷＯ０１／９１２３５Ａ１号、及び、第ＷＯ０１／９１２３６Ａ１号から、金属化区域と接続又は隔離することによって、これらのアンテナの場合にも多帯域能力を生成することは既知ではあるが、これらのアンテナの欠点は、それらが、誘電体材料の使用によってさえ、限定的程度にのみ低減可能な、比較的大量の空間を必要とすることである。
【発明の開示】
【発明が解決しようとする課題】
【００１６】
従って、１つ又はそれ以上のプリント電線路から比較的簡単な方法で構成されると同時に、上記種類の多数の周波数帯域内で動作可能であり、且つ、少なくとも相当程度に相互に独立し且つフィードバックなしに同調し最善化し得る、上記種類のスイッチ可能なアンテナを提供することが本発明の目的である。
【００１７】
さらに、可能な限り小さなサイズ、よって、比較的小型の移動体電気通信機器内に空間節約的に収容し得る、上記種類のスイッチ可能なアンテナを提供することが本発明の目的である。
【課題を解決するための手段】
【００１８】
この目的は、高周波又はマイクロ波範囲のためのスイッチ可能な多帯域アンテナによって、請求項１に記載されるように達成され、当該多帯域アンテナは、基板に被覆される少なくとも１つの共振プリント電線路構造と、スイッチ可能な入力構造と、基板の支持体上に配置された少なくとも１つの電線路区域とを有し、入力構造は、入力構造のスイッチングによる、少なくとも１つの電線路区域の相互接続又は橋架によって、少なくとも１つの高周波電線路又は少なくとも１つの接地電線路を、共振プリント電線路構造に接続するために設けられる。
【００１９】
この目的は、さらに、高周波及びマイクロ波範囲のためのスイッチ可能な多帯域アンテナによって、請求項２に記載されるように達成され、当該多帯域アンテナは、基板に被覆される少なくとも１つの共振プリント電線路構造と、高周波電線路又は接地電線路を、少なくとも１つの共振プリント電線路構造に選択的に接続するための、スイッチ可能な入力構造とを有する。
【００２０】
これらの解決策の１つの特有な利点は、ＤＢＡアンテナの上記有利な特性が、特にそれらの簡単な製造及びプリント回路板上への取付に関して、保持されることである。スイッチ可能な入力構造を基板の支持体上に製造し得るので、比較的低い費用で、且つ、全く変更なし或いは少しだけの変更で、既存のアンテナも上記種類のスイッチ可能なアンテナとなるよう改良し得る。
【００２１】
従属項３乃至５及び９は、請求項１で請求されるような解決策の有利な成果を包含し、請求項２で請求されるような解決策の有利な成果は従属項６乃至９で特定されている。
【００２２】
請求項３及び４並びに請求項６及び８で請求されるような実施態様を用いて、多帯域アンテナの特に空間節約的な全体的設計が可能である。
【００２３】
請求項５は、好ましくは携帯電話規格の周波数範囲内での動作に適したスイッチ可能な二重帯域アンテナを包含する。
【００２４】
請求項７に請求されるような実施態様は、アンテナを費用効率良く且つ本質的に１回の製造工程で製造し得る。
【００２５】
最後に、請求項９に請求されるような実施態様は、アンテナの入力構造の好適な設計を包含し、それによって、確実に干渉なくアンテナをスイッチし得る。
【００２６】
図面に示される実施態様の例を参照して本発明を以下にさらに記載するが、本発明はそれらに限定されない。
【発明を実施するための最良の形態】
【００２７】
図１及び２は、本発明に従った（ＤＢＡ又はＰＷＡ）アンテナの第一実施態様を示す斜視図であり、プリント回路板（ＰＣＢ）１の正面に取り付けられている。その背面には、接地金属化１ａがある。
【００２８】
アンテナは本質的に平行六面体形状のブロック形態の基板１０を有し、その長さ又は幅はその高さよりも３〜４０倍大きい。従って、以下の記載において、基板１０の（大きい）上面を基板の主上面と呼び、反対面を基板の主下面と呼び、且つ、それらに直交する面を基板の側面と呼ぶ。
【００２９】
平行六面体形状の基板１０の代わりに、用途及び利用可能空間に依存して、円形、三角形、又は、多角形の円筒形状も選択し得る。さらに、基板１０は、例えば、材料、よって、重量に関する節約を行うために、空洞又は凹部も包含し得る。
【００３０】
例えば、基板１０はセラミック材料及び／又は１つ又はそれ以上の高周波に適したプラスチックで構成され、或いは、セラミック粉末を重合体マトリックス中に埋め込むことによって形成され得る。純重合体基板も用い得る。材料は可能な限り低い損失を示し、且つ、高周波特性（ＮＰＯ又は所謂ＳＬ材料）の低い温度依存性を有するべきである。
【００３１】
アンテナのサイズを減少するために、基板１０はεｒ>１の誘電性数及び／又はμｒ>１の透磁性数を有するのが好ましい。しかしながら、高い又は増大する誘電性数及び／又は透磁性数を備える基板の場合、達成可能な帯域幅は減少することに留意すべきである。
【００３２】
図１に示されるアンテナにおいて、基板１０は約１７ｍｍの長さ、約１１ｍｍの幅、及び、約２ｍｍの高さを有する。
【００３３】
基板１０は、本質的にその主上面に、例えば、銀、銅、金、アルミニウム、又は、超伝導体のような高導電性材料から成る共振プリント電線路構造１１を有する。プリント電線路構造１１を基板１０に組み込んでもよい。
【００３４】
図示の実施態様において、アンテナが２つの共振周波数を構築するよう（二重帯域アンテナ）、プリント電線路構造１１のコース、長さ、及び、幅は、それ自体は既知の方法によって例として選択されている。
【００３５】
プリント電線路構造１１は、スイッチ可能な入力構造１２を介して、ＨＦ電線路１３（普通は５０オーム電線路）に接続され、送受信されるべき電磁エネルギーのためにプリント印刷基板１の正面上を走る。
【００３６】
スイッチ可能な入力構造１２は、基板１０の主下面上の金属化形態の給電地点１２１を含み、プリント回路板上へのアンテナの取付中に、それは例えばソルダリングによってＨＦ電線路１３に接続される。
【００３７】
給電地点１２１で、基板１０の１つの側部に沿って延び、基板１０の主下面上の金属化の形態の第一電線路区域１２２が開始する。第一線路区域１２２の端部に、第一電線路区域１２２と第二電線路区域１２４との間の接続を生成する第一ブッシュ１２３があり、第二電線路区域はプリント回路板１の背面上に被覆された金属化（メタライゼーション）によって形成されている。
【００３８】
第二電線路区域１２４は第一電線路区域１２２と本質的に平行に走り、第二電線路区域１２４をスイッチパッド１２６に接続する第二ブッシュ１２５で終了する。スイッチパッド１２６は金属化の形態でプリント回路板１の正面に被覆される。
【００３９】
プリント回路板１上へのアンテナの取付中に、基板１０の主下面上に位置する、共振プリント電線路構造１１の第一区域１１１の始点を、このスイッチパッド１２６に接触させる。
【００４０】
最後に、スイッチ可能な入力構造１２はスイッチング装置（図示せず）も含む。スイッチング装置は、閉鎖状態において、スイッチパッド１２６を給電地点１２１（又はＨＦ電線路）に接続し、開放状態において、２つを互いに隔離する。
【００４１】
スイッチング装置が開放のとき（第一スイッチ位置）、給電地点１２１は、第一電線路区域１２２、第一ブッシュ１２３、第二電線路区域１２４、及び、スイッチパッド１２６で終了する第二ブッシュ１２５を介して、共振プリント電線路構造１１に接続される。
【００４２】
スイッチング装置が閉鎖されているとき（第二スイッチ位置）、スイッチパッド１２６に接触する第一区域１１１と、基板１０の側面上の第二区域１１２と、基板１０の主上面に被覆された第三区域１１３とから成る共振プリント電線路構造１１は、給電地点１２１又はＨＦ電線路１３に直接接続される。
【００４３】
このようにして、スイッチング装置を開閉することによって、共振プリント電線路構造１１の有効長を変更することが可能である。第一電線路区域１２２及び第二電線路区域１２４の長さ並びに第一ブッシュ１２３の位置付けによる簡単な方法で、この変更の程度を決定し得る。
【００４４】
このスイッチング装置をＳＭＤ構成部材としてプリント印刷基板上に取り付け得る。それは従来的な高周波半導体スイッチ、例えば、ＭａｃｏｍからのＧａＡｓ  ＳＰＳＴスイッチ（動作範囲は約０〜２．５ＧＨｚの間）、及び、ＭＥＭＳ（ＭｉｃｒｏＥｌｅｃｔｒｏｎＭｅｃｈａｎｉｃａｌ  Ｓｗｉｔｃｈ）であり得る。スイッチング装置がＰＩＮダイオードを含むことも可能である。
【００４５】
図３は、図１及び２に示されるアンテナに関して、２つのスイッチ位置で得られる周波数［ＭＨｚ］の関数としての反射パラメータＳ１１［ｄＢ］のプロファイルを示している。２つの共振周波数範囲内のシフトが明らかに見られ、その範囲は、閉鎖スイッチ位置において、ＧＳＭ９００及びＧＳＭ１９００／ＰＣＳ帯域にあり、スイッチが開放のときに、ＡＭＰＳ及びＧＳＭ／ＤＣＳ１８００帯域にある。適切な場合には、これらの共振周波数のより高い高調波を用い得る。
【００４６】
本発明の第二実施態様が図４及び図５の２つの斜視図に示されている。同一又は類似の部材は図１及び２と同一の参照符号を備えている。従って、これらが再び記載される必要ななく、それ故、本質的に相違のみを議論する。
【００４７】
この実施態様において、基板１０はセラミック材料から成り、約１７ｍｍの長さ、約１１ｍｍの幅、及び、約２ｍｍの高さを有する。それはプリント回路板１の正面に被覆され、その背面には、再び接地金属化１ａがある。
【００４８】
第一実施態様と比較すると、第二実施態様では、スイッチ可能な入力構造１２は、アンテナのための第一給電地点１２１１及び第二給電地点１２１２を有する。第一給電地点１２１１は、第一ブッシュ１２３を介して、プリント回路板１の背面上を走る電線路区域１２４に接続されている。この電線路区域１２４の端部に、第二給電地点１２１２への接続を生成する第二ブッシュ１２５がある。アンテナの取付中に、第二給電地点１２１２は、主下面上に位置する、共振プリント電線路構造１１の第一区域１１１の一端に接続される。
【００４９】
２つの給電地点１２１１，１２１２に対応して、第一ＨＦ電線路１３１及び第二ＨＦ電線路１３２がプリント回路板１の正面上に配置されている。これらの２つの電線路は、例えば、上記スイッチング装置の１つ（図示せず）又は適切なスイッチを用いて、第一給電地点１２１１及び第二給電地点１２１２のそれぞれに選択的に接続されている。
【００５０】
図４は第一スイッチ位置を示しており、そこでは、そのようなスイッチング装置が第一ＨＦ電線路１３１を第一給電地点１２１１に接続し、且つ、第二ＨＦ電線路１３２を第二給電地点１２１２から隔離している。図５は第二の反対のスイッチ位置を示しており、そこでは、第二ＨＦ電線路１３２は第二給電地点１２１２に接続され、且つ、第一ＨＦ電線路１３１は第一給電地点１２１１から隔離されている。
【００５１】
スイッチ位置を選択することによって、今度は、共振プリント電線路構造１１の有効長を変更し得る。２つの給電位置１２１１，１２１２の相互の距離によってこの変更の程度を決定し得る。
【００５２】
図６は、図４及び図５に示されるアンテナのために、２つのスイッチ位置で得られる周波数［ＭＨｚ］の関数としての反射パラメータＳ１１［ｄＢ］のプロファイルを示している。このグラフにおいても、２つの共振周波数範囲内のシフトを明らかに見ることができ、その範囲は、図４に示されるスイッチ位置の場合には、ＡＭＰＳ及びＧＳＭ／ＤＣＳ１８００帯域にあり、図５に示されるスイッチ位置の場合には、ＧＳＭ９００及びＧＳＭ１９００／ＰＣＳ帯域にある。
【００５３】
このように、本発明の第一及び第二実施態様は、欧州及び米国の両方で使用されるべき携帯電話における使用に特に適している。入力構造をスイッチするために用いられる対応する制御信号を携帯ラジオシステムから導出し得る。
【００５４】
図７は、本発明に従ったアンテナの第三実施態様を示している。
【００５５】
アンテナは、再度、好ましくは上記種類のセラミック基板１０を有し、約２０ｍｍの長さ、約１２ｍｍの幅、及び、約２ｍｍの高さを有する。
【００５６】
基板１０は、その主下面上に、第一共振プリント電線路構造２１及び第二共振プリント電線路構造２２を有する。プリント電線路構造２１，２２は１つの主面上にだけ位置するので、１つの製造工程でアンテナを費用効率良く製造することが可能であり、且つ、動力損失なしに約２ｍｍ未満の高さに低減することが可能である。基板１０はプリント回路板１の正面上に取り付けられ、プリント回路板はその背面上に接地金属化１ａを有する。
【００５７】
プリント回路板の正面上には、給電線路２３ｂとして基板１０下方に延びるＨＦ電線路２３ａがあり、よって、電磁エネルギーをアンテナに容量的に結合したり離脱し得る。
【００５８】
スイッチ可能な入力構造２４を介して、２つの共振プリント電線路構造２１，２２を、プリント回路板１の背面上の接地金属化１ａに接続し得る。
【００５９】
この入力構造２４は図８に詳細に示されている。それはプリント回路板１を通じて第一ブッシュ２４１を含み、このブッシュは、プリント回路板１の背面上の接地金属化１ａを、プリント回路板１の正面上の接地電線路２４２に接続する。この接地電線路２４２は、基板１０下方に延び、接地電線路をプリント回路板１の背面上に被覆された第一スイッチパッド２４４に接続する第二ブッシュ２４３で終了する。
【００６０】
第二ブッシュ２４５が、第一共振プリント電線路構造２１の一端を、プリント回路板１の背面上の第二スイッチパッド２４６に接続する。最後に、第二共振プリント電線路構造２２をプリント回路板１の背面上の第三スイッチパッド２４８に接続する第三ブッシュ２４７が設けられている。３つのスイッチパッド２４４，２４６，２４８は約１×１×１ｍｍの高さを有し、且つ、銅から成るのが好ましい。
【００６１】
アンテナが動作されるべき所望の共振周波数帯域の数及び位置に依存して、より多くの共振プリント電線路構造さえもが基板１０に被覆され、それらの両端によって、ブッシュを介して、プリント回路板１の背面上の対応するスイッチパッドに接続される。
【００６２】
入力構造２４は１つ又はそれ以上のスイッチング装置（図示せず）をさらに含み、それによって、第一スイッチパッド２４４を第二スイッチパッド２４６及び／又は第三スイッチパッド２４８に接続し得る。スイッチング装置（複数を含む）は上記のように設計されるのが好ましく、第一共振プリント電線路構造２１又は第二共振プリント電線路構造２２のいずれか、或いは可能であれば、両方の共振プリント電線路構造さえも接地金属化に接続し或いは離脱し得るよう、所望の動作周波数範囲に依存して相互に独立して、スイッチング装置をスイッチし得る。
【００６３】
これはより多数の周波数帯域が１つのアンテナでカバーされることを可能にするという事実とは別に、他のプリント電線路構造が接地金属化１ａから隔離されていることを条件として、関連スイッチング装置の開放によって、関連スイッチング装置の閉鎖によって活性化されるプリント電線路構造が、その性能に関して、他のプリント電線路構造によって左右されず或いは不利に影響されない、という利点も有する。さらに、提供されている共振周波数範囲に関して、プリント電線路構造２１，２２を互いに独立して寸法取りし且つ最善化し得る。この結果、２つ又はそれ以上の共振プリント電線路構造を含む既知のこの種のアンテナに比べ、より大きな範囲のアンテナの使用が得られる。
【００６４】
図９は、スイッチング装置の第一スイッチ位置を概略的に示す平面図であり、そこでは、接地電線路２４２は、第一スイッチパッド２４４及び第二スイッチパッド２４６を介して、第一共振プリント電線路構造２１に接続されている。
【００６５】
図１０は、周波数［ＭＨｚ］の関数としての反射パラメータＳ１１［ｄＢ］のプロファイルの形態の、結果として得られる共振範囲を示している。ＧＳＭ９００周波数帯域内で顕著な共振が明らかに見られる。同時に、この共振の第一高周波は極めて抑制されているので、システムのダイプレクサ上に置かれる要件は、この種の既知のアンテナに比べて比較的低い。何故ならば、この場合、可能な限り適合された第一高周波が多帯域動作のために必要とされるからである。
【００６６】
図１１は、スイッチング装置の第二スイッチ位置において、接地電線路２４２が、第一スイッチパッド２４４及び第三スイッチパッド２４８を介して、第二共振プリント電線路構造２２に接続されている場合を概略的に示す平面図である。
【００６７】
図１２は、周波数［ＭＨｚ］の関数としての反射パラメータＳ１１［ｄＢ］のプロファイルの形態の、結果として得られる共振範囲をもう一度示している。この場合には、ＧＳＭ９００周波数帯域内の共振は最早存在しない。むしろ、約１７００ＭＨｚ〜約２５００ＭＨｚの間の極めて広帯域な二重共振が展開し、それはＤＣＳ、ＰＣＳ、ＵＭＴＳ、及び、ＢＴ周波数帯域内でのアンテナ動作を許容する。
【００６８】
最後に、図１３は、スイッチング装置の第三スイッチ位置において、接地電線路２４２が第一スイッチ及び第二スイッチパッド２４４，２４６；２４４，２４８を介して第一共振プリント電線路構造２１及び第二共振プリント電線路構造２２の両方に接続されている場合を概略的に示している。
【００６９】
結果として得られる共振範囲が、周波数［ＭＨｚ］の関数としての反射パラメータＳ１１［ｄＢ］のプロファイルの形態でもう一度示されている。この場合、最低共振周波数は約８５０ＭＨｚであるので、ＡＭＰＳ周波数帯域内でもアンテナを動作し得る。
【図面の簡単な説明】
【００７０】
【図１】第一実施態様を示す第一斜視図である。
【図２】第一実施態様を示す第二斜視図である。
【図３】本アンテナの第一実施態様で得られる共振範囲を示すグラフである。
【図４】第二実施態様を示す第一斜視図である。
【図５】第二実施態様を示す第二斜視図である。
【図６】本アンテナの第二実施態様で得られる共振範囲を示すグラフである。
【図７】第三実施態様を示す斜視図である。
【図８】図７からの部分斜視図である。
【図９】図７に示されるアンテナの第一スイッチ位置を示す平面図である。
【図１０】図９に示されるスイッチ位置で得られるアンテナの共振範囲を示すグラフである。
【図１１】図７に示されるアンテナの第二スイッチ位置を示す平面図である。
【図１２】図１１に示されるスイッチ位置で得られるアンテナの共振範囲を示すグラフである。
【図１３】図７に示されるアンテナの第三スイッチ位置を示す平面図である。
【図１４】図１３に示されるスイッチ位置で得られるアンテナの共振範囲を示すグラフである。
【図１】
2007505587.tif 000004
【図２】
2007505587.tif 000005
【図３】
2007505587.tif 000006
【図４】
2007505587.tif 000007
【図５】
2007505587.tif 000008
【図６】
2007505587.tif 000009
【図７】
2007505587.tif 000010
【図８】
2007505587.tif 000011
【図９】
2007505587.tif 000012
【図１０】
2007505587.tif 000013
【図１１】
2007505587.tif 000014
【図１２】
2007505587.tif 000015
【図１３】
2007505587.tif 000016
【図１４】
2007505587.tif 000017
【国際調査報告】
2007505587.tif 000018
2007505587.tif 000019
2007505587.tif 000020
2007505587.tif 000021
2007505587.tif 000022